(57)【特許請求の範囲】
【請求項１】
ラベラーによって被貼着体に貼着可能で、前記被貼着体に貼着された状態において部分的に剥離可能なステッカーであって、
前記被貼着体に貼着される貼着面が設けられると共に、第１領域と、前記第１領域と境界を接して前記第１領域の全周を取り囲む第２領域とを有するシール本体と、
前記貼着面の一部に貼り合わされ、前記貼着面から分離可能な剥離紙とを備え、
前記シール本体の前記第１領域及び前記第２領域の境界上には、連続または非連続の切断線と、当該切断線のない部分とが形成され、
前記剥離紙は、前記切断線に沿った前記第１領域の一部分に前記剥離紙と重ならない剥離開始領域が形成されるように、前記第１領域及び前記第２領域の境界を跨いで、前記第１領域及び前記第２領域のそれぞれと部分的に重なる、ステッカー。
【請求項２】
被貼着体に貼着された状態において部分的に剥離可能なステッカーであって、
前記被貼着体に貼着される貼着面が設けられると共に、第１領域と、前記第１領域と境界を接して前記第１領域を取り囲む第２領域とを有するシール本体と、
前記貼着面の一部に貼り合わされ、前記貼着面から分離可能な剥離紙とを備え、
前記シール本体には、前記第１領域及び前記第２領域の境界上の一部を切断する切断線が形成され、
前記剥離紙は、前記第１領域及び前記第２領域の境界を跨いで、前記第１領域及び前記第２領域のそれぞれと部分的に重なり、
前記剥離紙の外周縁の一部が、前記第１領域の内側において前記切断線に沿うように形成されることによって、前記剥離紙の外周縁の前記一部の外側にある前記第１領域の一部分に前記剥離紙と重ならない剥離開始領域が形成される、ステッカー。
【請求項３】
前記第１領域は、矩形状であり、
前記剥離開始領域の一部が前記第１領域のコーナーに位置する、請求項１または２に記載のステッカー。
【請求項４】
前記剥離開始領域は、前記コーナーを形成する２辺に沿って延びるように形成される、請求項３に記載のステッカー。
【請求項５】
前記切断線が非連続に形成される、請求項２に記載のステッカー。
【請求項６】
内容物を包装するパッケージであって、
前記パッケージを構成する包装資材と、
請求項１または２に記載のステッカーとを備え、
前記シール本体の前記貼着面が前記包装資材の外面に貼着され、
前記剥離紙が前記包装資材の外面と前記貼着面との間に挟まれて、前記貼着面の一部に貼り合わされる、パッケージ。
【発明の詳細な説明】
【技術分野】
【０００１】
本発明は、商品の外装に貼着され、商品等表示等に用いられるステッカー及びこれを用いたパッケージに関するものである。
【背景技術】
【０００２】
商品等表示のためのステッカーが様々な商品の外装に貼り付けて用いられている。ステッカーは糊付けされた貼着面を有しており、この貼着面が商品の外装に貼り付けられる。このようなステッカーにおいて、例えば、その一部分がキャンペーン等の応募券になっているものがある。
【０００３】
このようなステッカーは応募券の部分のみを剥離できる構造を有していない。従って、商品の外装に弱溶着したステッカーを全て剥がし取り、応募券の部分を切り取る作業を行う必要がある。
【先行技術文献】
【特許文献】
【０００４】
【特許文献１】特開２００１−３３４７８３号公報
【発明の概要】
【発明が解決しようとする課題】
【０００５】
しかし、上述した作業は消費者にとって煩雑である。また、ステッカー全体を剥がすことにより、商品としての加飾が損なわれるといった問題があった。
【０００６】
それ故に、本発明は、一部分のみを容易に剥離することが可能なステッカーを提供することを目的とする。
【課題を解決するための手段】
【０００７】
本発明は、被貼着体に貼着された状態において部分的に剥離可能なステッカーに関するものである。ステッカーは、被貼着体に貼着される貼着面が設けられると共に、第１領域と、第１領域と境界を接して第１領域を取り囲む第２領域とを有するシール本体と、貼着面の一部に貼り合わされ、貼着面から分離可能な剥離紙とを備える。シール本体には、第１領域及び第２領域の境界上の一部を切断する切断線が形成され、剥離紙は、切断線に沿った第１領域の一部分に剥離紙と重ならない剥離開始領域が形成されるように、第１領域及び第２領域の境界を跨いで、第１領域及び第２領域のそれぞれと部分的に重なる。
【発明の効果】
【０００８】
本発明によれば、一部を容易に剥離することが可能なステッカーを得ることができる。
【図面の簡単な説明】
【０００９】
【図１】本発明の実施形態に係るステッカーの平面図
【図２】図１に示すステッカーのＡ−Ａ’線に沿った断面図
【図３】剥離紙からステッカーを剥離する前の状態を示す平面図
【図４】シール本体の第１領域を剥離する状態を示す断面図
【図５】比較例に係るステッカーの平面図
【図６】図５に示すステッカーのＢ−Ｂ’線に沿った断面図
【図７】他の比較例に係るステッカーの平面図
【図８】図７に示すステッカーのＣ−Ｃ’線に沿った断面図
【発明を実施するための形態】
【００１０】
図１は、本発明の実施形態に係るステッカーの平面図であり、図２は、図１に示すステッカーのＡ−Ａ’線に沿った断面図である。
【００１１】
ステッカー１は、被貼着体７に貼着されるシール本体２と、シール本体２の一部を剥離可能とするための剥離紙３ａとを備える。尚、被貼着体７とは、カップ状、袋状等の包装容器、及び、これらの包装容器に取り付けられるオーバーキャップ、シュリンクフィルムのような、商品を外装する資材全般を指す。
【００１２】
シール本体２は、一方面に被貼着体７に貼り合わせられる貼着面を有し、円形状に形成されている。また、シール本体２は、図１に示すように右上がりハッチング（斜線部）で示す第１領域２１と、第１領域２１を取り囲む第２領域２２を有する。
【００１３】
第１領域２１は、シール本体２において、部分的に剥離される領域であり、ほぼ矩形状に形成されている。一方、第２領域２２は、第１領域２１と境界を接し、かつ第１領域２１を取り囲む領域である。この第２領域２２によって、シール本体２全体が被貼着体７に固定される。尚、第２領域２２は、第１領域２１を取り囲む部分を意味し、必ずしもシール本体２のうち第１領域２１以外の全ての部分を指すわけではない。
【００１４】
第１領域２１と第２領域２２との境界上には、切断線４が形成される。切断線４は、シール本体２を厚み方向において完全に切断するように形成される。図１の左右方向に延びる境界上には、中央の一部を残して、切断線４が形成される。また、上下方向に延びる左側の境界上（２点鎖線）には切断線４を設けていない。このように境界上の一部に切断線４を設けないことにより、ラベラー（ラベル自動貼り機）によるステッカー１貼着時において、剥離紙からステッカー１を剥離する際に、第１領域２１と第２領域２２とを分離させることなく一体的に剥離することができる。
【００１５】
ステッカー１を被貼着体７に貼り付けた状態では、剥離紙３ａは、第１領域２１と第２領域２２とを跨いでシール本体２の貼着面の一部に剥離可能に貼り合わされている。より具体的には、剥離紙３ａは、コーナー６近傍において、第１領域２１と重ならないようにシール本体２の貼着面に貼り合わされている。このように、コーナー６付近に、第１領域２１と剥離紙３ａとが重ならない剥離開始領域５（右下がりハッチングで示す領域）が形成されている。
【００１６】
図３は、剥離紙からステッカーを剥離する前の状態を示す平面図である。
【００１７】
ステッカー１は、粘着面を有するシール及び剥離紙３が貼り合わされた帯状のラベル材に、金型等を用いてハーフカットを形成することにより作製される。具体的には、シールには、シール本体２の外縁と切断線４の部分とにシールのみを貫通するハーフカットを形成し、剥離紙３には、剥離紙３ａの外縁のみにハーフカット８を形成する。ステッカー１を被貼着体７に貼りつける前の状態では、図３に示すように、シール本体２と、剥離紙３ａ（右上がりのハッチング部分）及び３ｂ（３ａを取り囲む全ての部分）とは一体化されている。このように作製したステッカー１は、ラベラーを用いて剥離紙３から剥離しながら、被貼着体７に貼り付けられる。この際、剥離紙３ａの外縁にハーフカット８が形成されているので、剥離紙３ａは、シール本体２の貼着面に残存したまま剥離紙３ｂから分離する。この結果、ステッカー１を被貼着体７に貼り付けた状態（図１及び２）では、剥離紙３ａがシール本体２と被貼着体７との間に配置されることになる。
【００１８】
再度、図１及び２に戻って、剥離開始領域５は、第１領域２１のシール本体２を剥離する際に、剥離の開始位置となる領域である。剥離開始領域５は、図１に示すように、第１領域２１の右上のコーナー６から第１領域２１の上端及び右端に沿って延びるように形成されている。また、図２に示すように、剥離開始領域５においては、シール本体２が剥離紙３ａと重なっていない。これにより、シール本体２を被貼着体７に貼り付けた状態で、シール本体２と被貼着体７との間には空間（隙間）が形成される。特に、図１のように直交する２方向に延びるように剥離開始領域５を設ける場合、ステッカー１の製造時に、剥離紙３ａの外縁にハーフカットを形成するための金型の位置ずれをある程度許容できる。すなわち、図１の右方向及び図１の上方向の両方に大きく金型がずれない限り、剥離紙３ａと第１領域２１とが重なり合わない領域を設けることができる。
【００１９】
図４は、第１領域のシール本体を剥離する状態を示す断面図である。
【００２０】
シール本体２から第１領域２１を剥離するためには、まず、（ａ）に示すように、剥離開始領域５に沿った切断線４（第１領域２１と第２領域２２との境界）に、指の爪先を差込む。剥離開始領域５における第１シートには剥離紙３ａが貼着されておらず、シール本体２と被貼着体７との間に空間が存在する。すなわち、剥離紙３ａが被貼着体７上に段差を形成しており、爪先で、第１領域２１のシール本体２の端（切断線４付近）を引っ掛けることが容易となる。
【００２１】
次に、爪先でシート本体２の端を引っ掛けた状態でシール本体２を捲り上げる。そして、（ｂ）に示すように、捲りあげたシール本体２の部分を指先で摘み、第１領域２１のシール本体２を図の矢印方向に剥離する。剥離するに従って、切断線４に沿って第１領域２１と第２領域２２とが分離され、第１領域２１のシール本体２のみが剥離される。このように、剥離開始領域５を備えることにより、第１領域のシール本体２を容易に剥離することができる。シール本体２を第１領域の終端（図１における第１領域の左端）まで剥離した後は、図１の二点鎖線に沿って、シール本体２をハサミ等で切り取る。また、剥離紙３ａが境界を跨ぐようにシール本体２に貼着されているため、シール本体２の第１領域剥離後も、被貼着体７側に剥離紙３ａが保持される。
【００２２】
ここで、剥離開始領域５を備えることの有効性について、一部を剥離することが可能なステッカーの比較例を用いて説明する。
【００２３】
図５は、比較例に係るステッカーの平面図であり、図６は、図５に示すステッカーのＢ−Ｂ’線に沿った断面図である。
【００２４】
図５に示すステッカーは、一部剥離可能なシール本体２と剥離紙３とを備える。シール本体２は、矩形状の第１領域２１と、それを取り囲む第２領域２２とを有する。剥離紙３は、第１領域２１の全面に、かつ、その周囲（第２領域２２の一部）に渡って貼着される。すなわち、図５に示すステッカーには、剥離開始領域が形成されていない。
【００２５】
そのため、図６に示すように、切断線４付近におけるシール本体２は剥離紙３に隙間なく沿っている。すなわち、被貼着体７上には剥離のために爪先を引っ掛ける段差が存在しない。従って、第１領域の第１シートを剥離することが困難となる。これは、特に被貼着体７が剛性を有する材料よりなる場合に顕著となる。
【００２６】
図７は、他の比較例に係るステッカーの平面図であり、図８は、図７に示すステッカーのＣ−Ｃ’線に沿った断面図である。
【００２７】
上述した問題を解決するために、図７に示すステッカーは、図５に示すステッカーにおいて、第１領域のシール本体２の一部を抜き取ったものである。抜き取られた部分の境界に面するシール本体２の端２３は、剥離紙３上に段差を形成しているため、簡単に爪先で引っ掛けることができる。これにより、第１領域２１のシール本体２を容易に剥離することが可能である。
【００２８】
しかし、図７に示すステッカーでは、剥離部分の一部のシール本体を取り除く工程が必要となるため、製造コストが高くなる。また、取り除いた部分のシール本体が不要となるため、廃棄物が発生する等の問題もある。
【００２９】
このように、図５及び６に示すステッカーは、剥離開始領域が形成されていないため、第１領域のシール本体を容易に剥離することができないという問題、或いは、剥離し易くすることができても、製造コストが高くつく等の問題が発生する。これに対して、本実施形態に係るステッカー１は、剥離紙３ａの形状を工夫することで、剥離開始領域５が形成されている。そのため、この部分から第１領域２１のシール本体２を容易に剥離することが可能となる。また、このような剥離紙３ａの形状を作製するには、金型の打ち抜き形状を変更するだけで良い。従って、剥離開始領域５を備えることがコスト高に繋がることはない。
【００３０】
以上説明したように、実施形態に係るステッカー１は、その一部を容易に剥離できるため、ステッカー１全体を剥がす必要がない。これによって、商品の加飾を損なわずに、例えば応募券等の必要な部分のみを剥離して入手できる。また、詰め替えに用いられる商品においては、ステッカー１が貼着された詰め替え商品から、内容物を保存容器に詰め替えた後に、第１領域２１のシール本体２（例えば消費期限が表示される部分）をステッカー１から剥離する。そして、剥離したシール本体２を、詰め替え先の保存容器に貼着する。このように、ステッカー１は、製品の消費期限を一時的に表示する等の用途にも好適である。
【００３１】
尚、本実施形態において、シール本体の形状は、必ずしも円形状である必要はない。例えば矩形状でも良く、第１領域及び第２領域を備えるものであれば任意である。
【００３２】
また、本実施形態において、第１領域の形状は、必ずしも矩形である必要は無く、例えば円形や多角形でも良いし、第１領域をシール本体から剥離できるものであれば任意である。また、第１領域を設ける位置については、周囲の全てを第２領域で取り囲む代わりに一部のみを取り囲むようにすることも可能であり、例えば、シール本体の端に第１領域を設けても良い。
【００３３】
更に、本実施形態において、切断線は、必ずしも図１の通りに形成する必要は無く、境界に沿って形成すれば、特に制限されない。例えば、境界の全周に沿って非連続に形成しても良い。この場合でも、ラベラーによるステッカーの剥離時に、シール本体の第１領域及び第２領域を分離させることなく一体的に剥離することができる。
【００３４】
更に、本実施形態において、剥離開始領域は、必ずしもコーナーに設ける必要はなく、切断線に沿った第１領域の一部に設ければ、その位置は任意である。
【産業上の利用可能性】
【００３５】
本発明は、商品のパッケージに貼り付ける商品等表示のためのステッカー等に利用できる。
【符号の説明】
【００３６】
１  ステッカー
２  シール本体
３  剥離紙
４  切断線
５  剥離開始領域
６  コーナー
７  被貼着体
２１  第１領域
２２  第２領域
【図１】
0005531502.tif 000002
【図２】
0005531502.tif 000003
【図３】
0005531502.tif 000004
【図４】
0005531502.tif 000005
【図５】
0005531502.tif 000006
【図６】
0005531502.tif 000007
【図７】
0005531502.tif 000008
【図８】
0005531502.tif 000009